(57)【要約】【課題】  洗剤などの紛体が入った容器から洗剤などの紛体を取り出す場合、目分量か、キャップに紛体などの量の印を付けたキャップで量を計り、洗剤などの紛体を使用しているのが現状であり、使用量が少ないと洗いなどの効果が悪くなり、使用量が多いと無駄という課題があった。【解決手段】  計量キャップは、下蓋と洗剤などの紛体を溜める容器との間は、洗剤などの紛体を溜める容器が、下蓋に対して回転することができ、下蓋と洗剤などの紛体を溜める容器は、両方共、円周に対して１８０度以内の一部開口部分があり、洗剤などの紛体を溜める容器が、洗剤などの紛体入れている容器に対して、回転することにより下蓋と洗剤などの紛体を溜める容器の間が開閉できる、又、洗剤などの紛体を溜める容器の内側に減量筒を入れて、洗剤などの紛体の体積量の変更ができることを特徴とする計量キャップ。【選択図】  図１
2014009011.tif 000002
【特許請求の範囲】
【請求項１】
計量キャップは，洗剤などの紛体入れている容器の蓋をする下蓋と、洗剤などの紛体を溜める容器と、洗剤などの紛体を溜める容器の蓋をする上蓋と、洗剤などの紛体の体積量の変更をするための減量筒からなり、下蓋と洗剤などの紛体を溜める容器との間は、洗剤などの紛体を溜める容器が下蓋に対して回転できることを有し、又、下蓋と洗剤などの紛体を溜める容器は、両方共、円周に対して１８０度以内の一部開口部分があり、洗剤などの紛体を溜める容器が、洗剤などの紛体入れている容器に対して、回転することにより、下蓋と洗剤などの紛体を溜める容器の間が開閉できることを有し、洗剤などの紛体を溜める容器の内側に減量筒を入れることにより、洗剤などの紛体の体積量の変更ができることを特徴とする計量キャップ。
【発明の詳細な説明】
【技術分野】
【０００１】
本発明は、洗剤などの紛体が入った容器から取り出す量を一定量に計量し、一定量取り出す量の変更ができる計量キャップに関するものである。
【背景技術】
【０００２】
従来においては、薬剤などの顆粒状及び紛状を容器から取り出す場合、薬剤などの顆粒状及び紛状を容器から取り出す量を一定量に計量し、計量した量を取り出す容器が知られている。
【先行技術文献】
【特許文献】
【０００３】
【特許文献１】特開１９９４−３２９１８１
【発明の概要】
【発明が解決しようとする課題】
【０００４】
しかしながら、従来技術は、洗剤などの紛体が入った容器から洗剤など紛体を取り出す場合、目分量か、あるいはキャップに紛体などの量の印を付けたキャップで量を計り、洗剤などの紛体を使用しているのが現状である、そこで、問題になる課題は、洗剤などの紛体の使用量である、食器洗浄機など毎回同じ使用量が必要な場合、使用量が少ないと、洗いなどの効果が悪くなり、使用量が多いと、無駄になるという問題があり、洗濯機などは水の量に対して洗剤などの紛体の体積量の変更する必要があり、洗剤などの紛体を毎回同じ使用量、あるいは、必要なときは洗剤などの紛体の変更、減量できるような効率よく無駄なく洗剤などの紛体の使用できる計量キャップという課題があった。
【課題を解決するための手段】
【０００５】
本発明は、洗剤などの紛体を、効率よく無駄なく使用するという課題を解決するための計量キャップであって、計量キャップは，洗剤などの紛体入れている容器の蓋をする下蓋と、洗剤などの紛体を溜める容器と、洗剤などの紛体を溜める容器の内側に洗剤などの紛体を溜める体積量の変更ができる減量筒、及び、洗剤などの紛体を溜める容器の蓋をする上蓋からなり、下蓋と洗剤などの紛体を溜める容器との間は、洗剤などの紛体を溜める容器が下蓋に対して回転できることを有し、又、下蓋と洗剤などの紛体を溜める容器は、両方共、円周に対して１８０度以内の開口部分があり、洗剤などの紛体を溜める容器が、洗剤などの紛体入れている容器に対して、回転することにより下蓋と洗剤などの紛体を溜める容器の間が開閉できることを有する。
【０００６】
下蓋と洗剤などの紛体を溜める容器は、両方共、円周に対して１８０度以内の開口部分が必要な理由として、円周に対して１８０度以内の開口部分であれば、必ず、１８０度回転すれば、下蓋と洗剤などの紛体を溜める容器の間が、開、および、閉の状態にすることができる。
【０００７】
減量筒が必要な理由として、食器洗浄機、洗濯機などに、洗剤などの紛体を使用する場合、食器洗浄機、洗濯機の大きさや、対応人数が違うため、洗剤などの紛体の体積量の変更が必要である、また、体積量は、洗剤などの紛体の製造会社の、食器洗浄機、洗濯機の大きさや、対応人数に対しての指定体積量に合わせた体積量である。
【０００８】
体積量の変更、すなわち、洗剤などの紛体を減量する場合は、洗剤などの紛体を溜める容器の中に、減量筒を洗剤などの紛体を溜める容器の内側に接するように入れることで、体積量の変更、減量ができ、減量筒は、現減量筒の内側に、さらに、減量筒の外側が接する別の減量筒を入れることで、さらに、洗剤などの紛体の製造会社の指定した体積量の変更、減量が可能であり、その他の考えとしたら、減量筒以外に、減量筒を円周に対して、二分割、三分割した減量筒にすることでも、洗剤などの紛体の製造会社の指定した体積量の変更、減量が可能である。
【０００９】
洗剤などの紛体の使用時は、洗剤などの紛体入れている容器を逆さにして、すなわち、洗剤などの紛体が落ちる状態にして、洗剤などの紛体を溜める容器が、洗剤などの紛体入れている容器に対して、１８０度回転することにより開の状態にして、洗剤などの紛体を溜める容器に、洗剤などの紛体を入れ、さらに１８０度回転することにより閉の状態にして、上蓋を開けて洗剤などの紛体を、食器洗浄機、洗濯機などに投入使用する、洗剤などの紛体の体積量の変更、減量が必要時は、減量筒を洗剤などの紛体を溜める容器の内側入れることにより、洗剤などの紛体を一定量使用の変更が計れ、洗剤などの紛体を常に一定量使用すること、及び、減量筒の使用により体積量の変更、減量ができることで、洗剤などの紛体を効率よく無駄なく使用するということを特徴とする計量キャップである。
【発明の効果】
【００１０】
本発明である計量キャップを使用すれば、洗剤などの紛体を使用時ごと、一定量の使用となり、又、減量筒の使用により、洗剤などの紛体の体積量の変更ができ、使用時ごと使用量が少ない、使用量が多いという効率性と無駄の問題が解決できる。
【図面の簡単な説明】
【００１１】
【図１】本発明に係る計量キャップの使用前の状態を示した縦断面図である。
【図２】上蓋の縦断面図である。
【図３】上蓋の平面図である。
【図４】洗剤などの紛体を溜める容器の縦断面図である。
【図５】洗剤などの紛体を溜める容器の平面図である。
【図６】下蓋の縦断面図である。
【図７】下蓋の平面図である
【図８】減量筒の縦断面図である。
【図９】減量筒の平面図である
【発明を実施するための最良の形態】
【００１２】
本発明である計量キャップを図面について説明する。
図１は本発明に係る計量キャップの使用前の状態を示した縦断面図である。計量キャップは，洗剤などの紛体入れている容器５の蓋をする下蓋３と、洗剤などの紛体を溜める容器２と、洗剤などの紛体を溜める容器２の蓋をする上蓋１、洗剤などの紛体を溜める容器２の内側に入れ体積量の変更するための減量筒４からなり、上蓋１、洗剤などの紛体を溜める容器２、下蓋３、減量筒４を、洗剤などの紛体入れている容器５に組み立て取り付けることで、計量キャップの形態をなしている。
【００１３】
下蓋３と洗剤などの紛体を溜める容器２との間は、洗剤などの紛体を溜める容器２が下蓋３に対して回転できことを有し、又、下蓋３と洗剤などの紛体を溜める容器２は、両方共、円周に対して１８０度以内の部分に開口部分６があり、洗剤などの紛体を溜める容器２が、洗剤などの紛体入れている容器５に対して、回転することにより下蓋３と洗剤などの紛体を溜める容器２の間が、開閉できることを有する。使用時は、下蓋３と洗剤などの紛体を溜める容器２の間が閉の状態で、洗剤などの紛体入れている容器５を逆さにして、洗剤などの紛体を溜める容器２が、洗剤などの紛体入れている容器５に対して、１８０度回転することにより開の状態にして、洗剤などの紛体を溜める容器２に、洗剤などの紛体を入れ、洗剤などの紛体が、洗剤などの紛体を溜める容器２に入れば、洗剤などの紛体を溜める容器２を、１８０度回転することにより元の回転位置の閉の状態にして、上蓋１を開けて洗剤などの紛体を、食器洗浄機などに使用することにより、洗剤などの紛体を一定量計り、洗剤などの紛体を一定量使用できるようになっている。
【００１４】
計量キャップは、洗剤などの紛体を一定量使用の体積量の変更できるように、減量筒４を設け、洗剤などの紛体を溜める容器２の内側に、減量筒４の外面が接するように入れて、洗剤などの紛体の体積量の変更、減量ができるようになっている。
【００１５】
図２は上蓋１の平面図である。図３は上蓋1の縦断面図である。上蓋1は  洗剤などの紛体を溜める容器２の蓋で、洗剤などの紛体が，こぼれないようにする為の蓋であり、ゴム、プラスチックなどがあり、上蓋１は  洗剤などの紛体を溜める容器２との間で、上蓋１が、指の力で開けることができる範囲の上蓋１である。
【００１６】
図４は洗剤などの紛体を溜める容器２の平面図である。図５は洗剤などの紛体を溜める容器２の縦断面図である。洗剤などの紛体を溜める容器２は、１回使用で洗剤などの紛体を使用するのに必要な量の体積量、すなわち、洗剤などの紛体の製造会社の指定した体積量を、洗剤などの紛体の体積量とし、ゴム、プラスチックなどがある。洗剤などの紛体を溜める容器２には、円周に対して１８０度以内の部分に開口部分６があり、洗剤などの紛体が、洗剤などの紛体入れている容器５から、洗剤などの紛体を溜める容器２に通るための開口部分６である。又、洗剤などの紛体を溜める容器２は、洗剤などの紛体入れている容器５に対して、指の力で回転することのできる範囲である。
【００１７】
図６は下蓋３の平面図である。図７は下蓋３の縦断面図である。下蓋３は、洗剤などの紛体入れている容器５の蓋であり、ゴム、プラスチックなどがある、下蓋３には、円周に対して１８０度以内の部分に開口部分６があり、洗剤などの紛体が、洗剤などの紛体入れている容器５から、洗剤などの紛体を溜める容器２に通るための開口部分６である。又、下蓋３は、洗剤などの紛体入れている容器５に対して、指の力で開けることができる範囲の下蓋３である。
【００１８】
図８は減量筒４の平面図である。図９は減量筒４の縦断面図である。減量筒４は円筒状の筒であり、洗剤などの紛体入れている容器５の内側が、減量筒４の外側に接するように減量筒４を入れることにより、洗剤などの紛体を溜める容器５の洗剤などの紛体の体積量が少なくなり、洗剤などの紛体の体積量の変更、減量ができる減量筒４であり、ゴム、プラスチックなどがある。減量筒６は、洗剤などの紛体入れている容器５に対して、外面を接しており、指の力で脱着することができる範囲の減量筒４である。
【符号の説明】
【００１９】
１    上蓋  
２    洗剤などの紛体を溜める容器
３    下蓋
４    減量筒
５    洗剤などの紛体入れている容器
６    開口部分
【図１】
2014009011.tif 000003
【図２】
2014009011.tif 000004
【図３】
2014009011.tif 000005
【図４】
2014009011.tif 000006
【図５】
2014009011.tif 000007
【図６】
2014009011.tif 000008
【図７】
2014009011.tif 000009
【図８】
2014009011.tif 000010
【図９】
2014009011.tif 000011
【手続補正書】
【提出日】平成24年10月10日(2012.10.10)
【手続補正１】
【補正対象書類名】特許請求の範囲
【補正対象項目名】全文
【補正方法】変更
【補正の内容】
【特許請求の範囲】
【請求項１】
洗剤などの粉体を入れている容器の開口部を被う下蓋と、当該下蓋に外嵌する洗剤などの粉体を溜める容器と、当該洗剤などの粉体を溜める容器の開口部を被う上蓋と、前記洗剤などの粉体を溜める容器内に取り外し自在に収容される減量筒とからなり、        
前記洗剤などの粉体を溜める容器は、前記下蓋に対して回転でき、前記下蓋と前記洗剤などの粉体を溜める容器の底部とは、それぞれ円周に対して１８０度以内の一部開口部分を有し、前記洗剤などの粉体を溜める容器を前記下蓋に対して回転させることで前記洗剤などの粉体を入れている容器と前記洗剤などの粉体を溜める容器とが連通し、前記洗剤などの粉体を溜める容器の内側に粉体を収容可能であり、前記洗剤などの粉体を溜める容器内に前記減量筒が収容されている場合と収容されていない場合とで前記洗剤などの粉体を溜める容器内に溜められる粉体の量を相違させることが可能とされていることを特徴とする計量キャップ。
【手続補正２】
【補正対象書類名】明細書
【補正対象項目名】全文
【補正方法】変更
【補正の内容】
【発明の詳細な説明】
【技術分野】
【０００１】
本発明は、洗剤などの粉体が入った容器から取り出す量を一定量に計量し、一定量取り出す量の変更ができる計量キャップに関するものである。
【背景技術】
【０００２】
従来においては、薬剤などの顆粒状及び粉状を容器から取り出す場合、薬剤などの顆粒状及び粉状を容器から取り出す量を一定量に計量し、計量した量を取り出す容器が知られている。
【０００３】
【特許文献１】特開１９９４−３２９１８１
【発明の概要】
【発明が解決しようとする課題】
【０００４】
しかしながら、従来技術は、洗剤などの粉体が入った容器から洗剤など粉体を取り出す場合、目分量か、あるいはキャップに粉体などの量の印を付けたキャップで量を計り、洗剤などの粉体を使用しているのが現状である、そこで、問題になる課題は、洗剤などの粉体の使用量である、食器洗浄機など毎回同じ使用量が必要な場合、使用量が少ないと、洗いなどの効果が悪くなり、使用量が多いと、無駄になるという問題があり、洗濯機などは水の量に対して洗剤などの粉体の体積量の変更する必要があり、洗剤などの粉体を毎回同じ使用量、あるいは、必要なときは洗剤などの粉体の変更、減量できるような効率よく無駄なく洗剤などの粉体の使用できる計量キャップという課題があった。
【課題を解決するための手段】
【０００５】
本発明は、洗剤などの粉体を、効率よく無駄なく使用するという課題を解決するための計量キャップであって、洗剤などの粉体を入れている容器の開口部を被う下蓋と、当該下蓋に外嵌する洗剤などの粉体を溜める容器と、当該洗剤などの粉体を溜める容器の開口部を被う上蓋と、前記洗剤などの粉体を溜める容器内に取り外し自在に収容される減量筒とからなり、前記洗剤などの粉体を溜める容器は、前記下蓋に対して回転でき、前記下蓋と前記洗剤などの粉体を溜める容器の底部とは、それぞれ円周に対して１８０度以内の一部開口部分を有し、前記洗剤などの粉体を溜める容器を前記下蓋に対して回転させることで前記洗剤などの粉体を入れている容器と前記洗剤などの粉体を溜める容器とが連通し、前記洗剤などの粉体を溜める容器の内側に粉体を収容可能であり、前記洗剤などの粉体を溜める容器内に前記減量筒が収容されている場合と収容されていない場合とで前記洗剤などの粉体を溜める容器内に溜められる粉体の量を相違させることが可能とされていることを特徴とする計量キャップである。
【０００６】
下蓋と洗剤などの粉体を溜める容器は、両方共、円周に対して１８０度以内の開口部分が必要な理由として、円周に対して１８０度以内の開口部分であれば、必ず、１８０度回転すれば、下蓋と洗剤などの粉体を溜める容器の間が、開、および、閉の状態にすることができる。
【０００７】
減量筒が必要な理由として、食器洗浄機、洗濯機などに、洗剤などの粉体を使用する場合、食器洗浄機、洗濯機の大きさや、対応人数が違うため、洗剤などの粉体の体積量の変更が必要である、また、体積量は、洗剤などの粉体の製造会社の、食器洗浄機、洗濯機の大きさや、対応人数に対しての指定体積量に合わせた体積量である。
【０００８】
体積量の変更、すなわち、洗剤などの粉体を減量する場合は、洗剤などの粉体を溜める容器の中に、減量筒を洗剤などの粉体を溜める容器の内側に接するように入れることで、体積量の変更、減量ができ、減量筒は、現減量筒の内側に、さらに、減量筒の外側が接する別の減量筒を入れることで、さらに、洗剤などの粉体の製造会社の指定した体積量の変更、減量が可能であり、その他の考えとしたら、減量筒以外に、減量筒を円周に対して、二分割、三分割した減量筒にすることでも、洗剤などの粉体の製造会社の指定した体積量の変更、減量が可能である。
【０００９】
洗剤などの粉体の使用時は、洗剤などの粉体入れている容器を逆さにして、すなわち、洗剤などの粉体が落ちる状態にして、洗剤などの粉体を溜める容器が、洗剤などの粉体入れている容器に対して、１８０度回転することにより開の状態にして、洗剤などの粉体を溜める容器に、洗剤などの粉体を入れ、さらに１８０度回転することにより閉の状態にして、上蓋を開けて洗剤などの粉体を、食器洗浄機、洗濯機などに投入使用する、洗剤などの粉体の体積量の変更、減量が必要時は、減量筒を洗剤などの粉体を溜める容器の内側入れることにより、洗剤などの粉体を一定量使用の変更が計れ、洗剤などの粉体を常に一定量使用すること、及び、減量筒の使用により体積量の変更、減量ができることで、洗剤などの粉体を効率よく無駄なく使用するということを特徴とする計量キャップである。
【発明の効果】
【００１０】
本発明である計量キャップを使用すれば、洗剤などの粉体を使用時ごと、一定量の使用となり、又、減量筒の使用により、洗剤などの粉体の体積量の変更ができ、使用時ごと使用量が少ない、使用量が多いという効率性と無駄の問題が解決できる。
【発明を実施するための最良の形態】
【００１１】
本発明である計量キャップを図面について説明する。
図１は本発明に係る計量キャップの使用前の状態を示した縦断面図である。計量キャップは，洗剤などの粉体入れている容器５の蓋をする下蓋３と、洗剤などの粉体を溜める容器２と、洗剤などの粉体を溜める容器２の蓋をする上蓋１、洗剤などの粉体を溜める容器２の内側に入れ体積量の変更するための減量筒４からなり、上蓋１、洗剤などの粉体を溜める容器２、下蓋３、減量筒４を、洗剤などの粉体入れている容器５に組み立て取り付けることで、計量キャップの形態をなしている。
【００１２】
下蓋３と洗剤などの粉体を溜める容器２との間は、洗剤などの粉体を溜める容器２が下蓋３に対して回転できことを有し、又、下蓋３と洗剤などの粉体を溜める容器２は、両方共、円周に対して１８０度以内の部分に開口部分６があり、洗剤などの粉体を溜める容器２が、洗剤などの粉体入れている容器５に対して、回転することにより下蓋３と洗剤などの粉体を溜める容器２の間が、開閉できることを有する。使用時は、下蓋３と洗剤などの粉体を溜める容器２の間が閉の状態で、洗剤などの粉体入れている容器５を逆さにして、洗剤などの粉体を溜める容器２が、洗剤などの粉体入れている容器５に対して、１８０度回転することにより開の状態にして、洗剤などの粉体を溜める容器２に、洗剤などの粉体を入れ、洗剤などの粉体が、洗剤などの粉体を溜める容器２に入れば、洗剤などの粉体を溜める容器２を、１８０度回転することにより元の回転位置の閉の状態にして、上蓋１を開けて洗剤などの粉体を、食器洗浄機などに使用することにより、洗剤などの粉体を一定量計り、洗剤などの粉体を一定量使用できるようになっている。
【００１３】
計量キャップは、洗剤などの粉体を一定量使用の体積量の変更できるように、減量筒４を設け、洗剤などの粉体を溜める容器２の内側に、減量筒４の外面が接するように入れて、洗剤などの粉体の体積量の変更、減量ができるようになっている。
【００１４】
図２は上蓋１の平面図である。図３は上蓋1の縦断面図である。上蓋1は  洗剤などの粉体を溜める容器２の蓋で、洗剤などの粉体が，こぼれないようにする為の蓋であり、ゴム、プラスチックなどがあり、上蓋１は  洗剤などの粉体を溜める容器２との間で、上蓋１が、指の力で開けることができる範囲の上蓋１である。
【００１５】
図４は洗剤などの粉体を溜める容器２の平面図である。図５は洗剤などの粉体を溜める容器２の縦断面図である。洗剤などの粉体を溜める容器２は、１回使用で洗剤などの粉体を使用するのに必要な量の体積量、すなわち、洗剤などの粉体の製造会社の指定した体積量を、洗剤などの粉体の体積量とし、ゴム、プラスチックなどがある。洗剤などの粉体を溜める容器２には、円周に対して１８０度以内の部分に開口部分６があり、洗剤などの粉体が、洗剤などの粉体入れている容器５から、洗剤などの粉体を溜める容器２に通るための開口部分６である。又、洗剤などの粉体を溜める容器２は、洗剤などの粉体入れている容器５に対して、指の力で回転することのできる範囲である。
【００１６】
図６は下蓋３の平面図である。図７は下蓋３の縦断面図である。下蓋３は、洗剤などの粉体入れている容器５の蓋であり、ゴム、プラスチックなどがある、下蓋３には、円周に対して１８０度以内の部分に開口部分６があり、洗剤などの粉体が、洗剤などの粉体入れている容器５から、洗剤などの粉体を溜める容器２に通るための開口部分６である。又、下蓋３は、洗剤などの粉体入れている容器５に対して、指の力で開けることができる範囲の下蓋３である。
【００１７】
図８は減量筒４の平面図である。図９は減量筒４の縦断面図である。減量筒４は円筒状の筒であり、洗剤などの粉体入れている容器５の内側が、減量筒４の外側に接するように減量筒４を入れることにより、洗剤などの粉体を溜める容器５の洗剤などの粉体の体積量が少なくなり、洗剤などの粉体の体積量の変更、減量ができる減量筒４であり、ゴム、プラスチックなどがある。減量筒６は、洗剤などの粉体入れている容器５に対して、外面を接しており、指の力で脱着することができる範囲の減量筒４である。
【図面の簡単な説明】
【００１８】
【図１】本発明に係る計量キャップの使用前の状態を示した縦断面図である。
【図２】上蓋の縦断面図である。
【図３】上蓋の平面図である。
【図４】洗剤などの粉体を溜める容器の縦断面図である。
【図５】洗剤などの粉体を溜める容器の平面図である。
【図６】下蓋の縦断面図である。
【図７】下蓋の平面図である
【図８】減量筒の縦断面図である。
【図９】減量筒の平面図である
【符号の説明】
【００１９】
１    上蓋  
２    洗剤などの粉体を溜める容器
３    下蓋
４    減量筒
５    洗剤などの粉体入れている容器
６    開口部分